(57)【特許請求の範囲】
【請求項１】
足場（１）等の直立材（３）に足場素子（４／３０４）を連結するための連結装置であって、該連結装置が、少なくとも使用位置で上向きに開放している掴み部品（６）を含み、上記掴み部品は直立材に結合されかつ第１の掴み面（１１）をもち、上記掴み面は直立材に面しかつ直立材から或る距離をおいて延びており、また該装置は、足場素子（４）に配置されたフック形部品（７）を含み、上記フック形部品は直立材から離れる方へ向いた少なくとも１つの第２の掴み面（２９）をもち、上記第２掴み面は、掴み部品内に引っ掛けられるように、かつ第１と第２の掴み面間の相互作用によって掴み部品によって支持されるように配置されており、該連結装置が、鎖錠装置（３７）を含み、上記鎖錠装置は鎖錠位置と連結装置を解放する位置の間を切り換えることができ、上記鎖錠装置は第１の留め付け部品（３８）と第２の留め付け部品（５０）の形をなしており、上記第１の留め付け部品は直立材（３）に当接するよう配置可能の前方の留め付け面（４５）をもち、第２の留め付け部品はくさび形をなしかつ鎖錠位置で、フック形部品（７）の支持面（５３）に当接して支えられるよう配置され、上記支持面は直立材に向かって前方に向いており、前方の直立材に向いた留め付け面（５１）はくさび作用によって、第１の留め付け部品上の直立材に面する後方の留め付け面（４６）に対して留め付けられ、上記留め付け面によってフック形部品の掴み面（２９）は鎖錠位置で掴み部品の掴み面（１１）に押しつけられ、上記鎖錠装置はその解放位置において、第１留め付け部品（３８）の一部で、第２のくさび形の留め付け部品（５０）を支持するよう配置されて成る連結装置において、第１の留め付け部品がフック形部品（７）内に旋回軸（３９）を中心として回動可能に配置され、かつそれを解放位置に支持するために、鎖錠位置から鎖錠くさびとして形作られている第２の留め付け部品（５０）を動かすとき、鎖錠軸を中心として、上向きの支持面（６４）をもつ上記部品で、鎖錠くさびの下向きの支持面（６５）の下の位置へ回動するよう配置され、上記第１の留め付け部品（３８）はその下部に前方の直立材に向かう突出部分（４４）をもち、上記突出部分は上記前方の留め付け面（４５）と上記後部の留め付け面（４６）および上に向く支持面（６４）をもち、上記鎖錠くさび（５０）は旋回軸（３９）が貫通して延びる細長い孔（６３）をもち、上記孔は実質上鎖錠くさびの長手方向に延びることを特徴とする連結装置。
【請求項２】
上記掴み部品（２）は使用位置で上に向く第１の載置面（３３）をもち、フック形部品（７）は使用位置で下に向く第２の載置面（３４）をもち、かつ上記フック形部品は第１と第２の載置面（３３、３４）間の相互作用によって支持されるよう配置されることを特徴とする請求項１に記載の装置。
【請求項３】
第１と第２の留め付け部品（３８、５０）は旋回軸（３９）の個所でお互いに並行して延び、かつ突出部分（４４）は解放位置で鎖錠くさびの下でそれを支持するために、横向きに突出するよう配置されていることを特徴とする請求項１または２に記載の装置。
【請求項４】
該装置に第３の留め付け部品（５６）が含まれ、上記留め付け部品は鎖錠位置で鎖錠くさびによって掴み部品（６）の上方で直立材（３）に当接させられるよう配置されることを特徴とする請求項１に記載の装置。
【請求項５】
第３の留め付け部品（５６）は後方に開放したフック形部分（５９）をもち、旋回軸（３９）を取り囲む凹所（６０）をもつことを特徴とする請求項４に記載の装置。
【発明の詳細な説明】
【０００１】
【発明の技術分野】
本発明は特許請求の範囲の請求項１の前文に記載した足場の直立材に足場素子を連結するための装置に関するものである。
【０００２】
【先行技術】
２つの留め付け部品の形をなす鎖錠装置をもち、その一方が鎖錠くさびからなる構成の連結装置は例えば SE-B-7908679-9 号により、以前から知られている。上記２つの留め付け部品の操作は、鎖錠装置が安定した解放位置をもたないため、数ステップでなされる必要がある。
【０００３】
【発明の要約】
従って、本発明の目的は、解放位置と鎖錠位置の間を簡単な手法で切り換えることができる鎖錠装置をもつ連結装置を提供することにある。上記目的は本発明の装置によって達成することができ、その特徴は特許請求の範囲の請求項１によって明らかになるであろう。
以下、本発明を幾つかの実施例につき添付図面に基づき詳細に説明する。
【０００４】
【好適実施例】
図１は本発明によって提供される型式のものとすることができる連結装置２を備えている足場１の１例を示す。この足場は幾つかの直立材３からなり、これらの直立材はそれらの下端で地面、側壁、床等とすることができる表面に載っている。足場には、直立材の他に、もう１つの型式の足場素子である幾つかの水平の足場素子４、５が含まれる。これらの足場素子は、例えば本発明の連結装置２によって直立材に連結される。水平の足場素子はそれらの両端で直立材に連結されるので、水平の足場素子は連結装置によって支持される。本発明の連結装置は極めて剛性の継ぎ手である。このことは、足場は単独で立つことができるが、それは通常安全上の理由から、建築物に位置決めされるとき、伝統的適用法で建築物に留め付けられることを意味する。伝統的足場はその目的として、図示していない建築物プラットフォームを支持しなければならない。このプラットフォームは通常、水平の連結素子５間に載っているが、例えば人間用の風雨避難所、車両、ボート、建築物を支持するために、標識を支持するために、または建築中に鋳造(cast)構造物を支持するためのいわゆる支柱を形成するために、種々のイベントでステージ、足場を形成する如く、足場は幾つかの様々な用途と機能をもつことができる。図１から明らかな如く、直立材３は幾つかの掴み部品６をもち、これらの部品は様々なレベルで足場素子４、５の連結を可能ならしめるために、異なったレベルで直立材の長さ部分上に配置されかつ連結装置２の一部をなしている。全体として足場の支持部品をなす水平の細長い足場素子４、５は別として、本発明の連結装置２は特定目的のために、例えば、つり上げ装置または特定の種類の仕事を実施するための他の補助器具を碇着するために、特定の足場素子を吊るために使用することができる。かかる場合、かかる足場素子は細長いかまたは水平とする必要はなく、或る場合には、単一の直立材に保持することができ、かつ１つ以上の掴み部品に連結することができる。代案として、足場素子はいわゆる格子レール(lattice rails)から成ることができ、この格子レールはレールを形成しかつ落下を防ぐ。数個の水平の足場素子４、５は１つの直立材に１つの同じ連結装置よって連結することができる。
【０００５】
連結装置２の構造を先ず、図２乃至５を参照して説明する。この連結装置は、掴み部品６からなる第１の連結部品は別として、第２の連結部品からなり、この第２連結部品はフック形の部品７からなり、このフック形部品は、各端に固定されているか、または特定の用途では、水平の足場素子の一端に固定されている。第１実施例の掴み部品６は椀形(bowl-shaped)ユニットからなり、この椀形ユニットは、例えば溶接によって、直立材３に、更に詳細には図示の実施例では円筒形をなすその包絡面９に固定されている。しかし、原則としてコーナーをもつ形状、例えば正方形パイプ、または原則として中実のロッドとすることができる。図示の実施例では、掴み部品６は壁１０をもち、この壁は直立材の包絡面の回りに延び、直立材と同心に延びる第１の掴み面１１は直立材に向かって内向きになっており、即ち直立材の包絡面９から直立材の回りに一定の距離をもっている。掴み部品６は底１２をもち、この底は有利には、図示していない水、粒子等のための排出孔をもつ。原則として、椀形状は円筒形壁１０によって置き換えることができる。この場合、この円筒形壁のみが、応力吸収用の隔て素子によって直立材の包絡面９に連結される。掴み部品６は、その形状にかかわらず、掴み面１１と直立材の包絡面９の間に位置するスペース３５を形成する。
【０００６】
フック形部品７は、連結装置が組み立てられるとき、掴み部品に掛合してそれによって支持されるために、掴み部品６のスペース３５内に突出するよう配置される。図４に明示される如く、掴み面１１はフック形部品７上の第２の掴み面２９と相互作用させられる第１の掴み面からなる。この第２の掴み面は直立材３から離れる方へかつ掴み部品６の掴み面１１、即ち第１の掴み面の方へ向く。このことは明瞭に示すことはできないが、第２掴み面２９は有利には湾曲させられており、更に詳細には、それは掴み部品の掴み面１１と実質上同じ形状に凸面状にねじ曲げられており、それによって面接触が保証されるようになっている。掴み部品は上向きの載置面３３をもち、この載置面は図示の例では、壁１０のリング状の円形の縁によって形成されている。これは連結装置に第１の載置区域を形成し、この区域はフック形部品７の下向きの同様に形作られた載置区域３４と相互作用するよう配置される。載置区域３３、３４は有利には、平らであり、この例では、直立材３の長手方向軸線３０に関して径方向面内に延びている。
【０００７】
図２から分かるように、直立材３の包絡面９は、フック形部品の直立材に面する端面３６に向かう径方向内部と相互作用するフック形部品７のための径方向内方の限界位置を形成する。しかし公差上の理由から、フック形部品７は、掴み部品６内に下方に突出するその部分の径方向寸法が常にスペース３５の径方向寸法より小さくなるように、寸法決めされている。
【０００８】
しかし、上述の実施例において、この径方向の差はフック形部品７の下方に向く載置面３４の径方向幅より小さく、その結果それが、図２、４に示す如く、連結された、即ち引っ掛けられているが鎖錠されていない位置で、掴み部品６の上向きの載置面３３の内側を滑ることができないようにすべきである。
【０００９】
連結装置中には鎖錠装置３７が設けられ、この鎖錠装置は図２、４、９、１０では、非鎖錠位置で示され、図３、５、７、８では、鎖錠位置で示されている。鎖錠装置は第１の留め付け部品３８をもち、この留め付け部品はこの例では、固定された鎖錠本体４０と、軸３９によって回転可能に連結されるものとして示されており、この鎖錠本体はフック形部品７と一体でありかつ足場素子４に固定されている。更に詳細には、鎖錠本体４０には頂部から下方に延びる貫通する空洞部４１が配置されており、この空洞部の対向する壁４２、４３には軸３９が配置されている。軸３９は空洞部４１を横切って延びる軸ピンからなる。留め付け部品３８は下部のわずかに突出する部分４４に前向きの留め付け面４５をもつ。この場合、前方向は直立材に向かう方向を指し、後方はそれと反対の方向を指す。
【００１０】
留め付け部品３８は更に、後向きの留め付け面４６をもつ。この留め付け面は前向きの留め付け面から離れる方に向き、かつ留め付け部品の接合部、即ちその軸３９から或る距離をおいて下部の突出部分４４に配置されており、かくしてこれは２つの側壁４２、４３間に延び、かつ図示の例では、穴４７の側壁を通して延びている。留め付け部品３８は長手方向部分４８をもち、この長手方向部分はその上側に孔４９をもち、この孔を通して横向きの軸３９が延びる。
【００１１】
貫通空洞部４１には、第２の留め付け部品５０が配置され、かつ直立材３の径方向に見て下向きにくさび形に寸法が減少する鎖錠くさびを形成している。この第２の留め付け部品５０は曲がった前方の留め付け面５１をもち、この留め付け面は、鎖錠くさびに下端５２の方向にそのくさび状に先細になる形状を与える。
【００１２】
鎖錠効果を得るために、連結装置は鎖錠くさび５０用の支持面をもち、この支持面は貫通空洞部４１内で鎖錠本体５５の後部５４に配置された後部の前向き留め付け面５３によって形成される。
【００１３】
また、連結装置は第３の留め付け部品５６をもち、この留め付け部品は掴み部品６の上方で直立材に向かう留め付け点を形成するよう配置され、同時に第１留め付け部品３８は掴み部品の下に留め付け点を形成する。こうすれば、たとえ上部留め付け部品５６が原則として、基本的機能を果たすために全く必要なくても、それが鎖錠された位置において、連結装置に極めて大きな剛性が保証される。上部の留め付け部品５６は図示の例では第１の下部留め付け部品３８から分離される素子であるが、この素子は代案として、剛性ユニットを、下部の留め付け部品と一緒にＵ形ヨークの形に形成することができる。図示の例では、留め付け部品５６は軸ピン３９に回動可能にまたは可撓状に連結される。第３の留め付け部品５６は直立材５７に向かって突出する部分をもち、これは前向きの留め付け面５８をもつ。更に、この第３の留め付け部品５６は軸３９用の孔の代わりに、後ろ方向に開いている凹所６０を有するフォーク形の部分５９をもつ。更に、第３留め付け部品は後向きの留め付け区域６１もち、この区域は、第２の留め付け部品５０の後向きの傾斜した留め付け面またはくさび面６２を挿入することによって留め付けられるよう配置されている。この留め付け部品は、簡単化のために、以下では鎖錠くさびと称される。上記鎖錠くさびはまた、図２、４、９および１０に示す解放位置と図３、５、７および８に示す鎖錠位置の間で垂直方向に動くことができる。鎖錠くさびは細長い孔６３ともち、この孔を通してシャフト３９が延び、それによって鎖錠くさびは連結装置から除去されることができない。というのは、その移動区域が孔によって限定されるからである。
【００１４】
図６に示す如く、第１と第３の留め付け部品は有利には、スペースを節約するために、貫通スペース４１内のそれらの位置で非対称形となっている。かくして、第１留め付け部品３８の細長い部分４８は鎖錠くさび５０の一側に配置され、同時に第３の留め付け部品５６のフォーク形部分５９は鎖錠くさびの他側に配置されている。
【００１５】
本発明によれば、鎖錠装置３７は安定した解放位置をとるよう配置され、更に詳細には、第１留め付け部品３８は、それが解放位置に鎖錠くさび１０を保持するのと同時に、それが図４、１０に明示されている解放位置をとろうと努力するように配置される。このことは第１留め付け部品３８の一部が鎖錠装置の解放位置に鎖錠くさび５０を支持するよう配置されることによってなし遂げられる。更に詳細には、第１留め付け部品３８は、下向きの支持面６５をもつ鎖錠くさびによって鎖錠くさびを支持するよう配置され、この支持面は図示の例では、鎖錠くさびの下向きの縁５２によって形成されている。第１留め付け部品の上向きの支持面は、第１留め付け部品の下部の僅かに突出する部品４４によって形成される。この部品４４はまた、上記の非対称形に起因して、横向きに延びる部品となり、この部品は第１留め付け部品の細長い部分４８から横向き方向に突出する。原則として、第１留め付け部品は代案として、Ｕ形とすることができ、その際２つの細長い部分をもちかつそれらの間に下部部品４４が配置される。第１留め付け部品３８の上向きの支持面６４は有利には、その形状が鎖錠くさびの下向きの支持面６５に適合し、解放位置では、有利には、実質上水平であるか、または直立材３の長手方向軸線３０に関して、実質上径方向平面内で延びている。支持面６４の正面には、くさびの下端の正面に上向きに突出する案内部分６６が配置されており、上記案内部分はくさびの形状に適合させられる案内面６７をもち、図示の例では、丸み付けされた案内面がくさびの丸み付けされたコーナー部６８に適合させられている。図１０を参照されたい。
【００１６】
第１の留め付け部品３８は、有利には、横向きの足場素子が水平に保持されたときかまたは連結装置７のフック形部品が上に向いたとき、それがその解放位置を取ろうとするような重心をもつ。そのことは、フック形部品が逆位置に保持されるように、足場素子が同時に回されるならば可能になり、即ちその際鎖錠くさびはその自重のためにその解放位置に下方に落ち、かくして第１留め付け部品３８を解放位置に旋回可能となすように、フック形部品が上を向くことになる。そのとき、鎖錠くさびはその解放位置の僅かに上方の位置のあり、このことは、鎖錠くさびの支持面６５が留め付け部品３８の支持面６４の直上に位置決めされたときに、孔６９の接触端が軸ピン３９と相互作用するよう、細長い孔の長さとその位置を選択することによって可能にされる。
【００１７】
その後、足場素子４はその長手方向軸線を中心として回され、それによってくさびを後ろへ落して、留め付け部品３８の支持面と接触させるようになす。支持面６４と鎖錠くさびの支持面６５間の若干の摩擦に因って、留め付け部品３８が解放位置に保持されることが保証される。また、溝または同様の鎖錠形状もまたこの保持を保証することができる。しかし、その保持は、第１の留め付け部品３８を鎖錠位置に動かすために鎖錠くさび５０を上昇させることは必要としないだろう。
【００１８】
鎖錠装置が解放位置にあると、連結装置は結合されることができる。というのはフック形部品７が掴み部分６内に入り、そしてフック形部品７の掴み面２９とその載置面３４、対応する掴み面１１と掴み部品の載置面３３、およびフック形部品の接触面３０と直立材の包絡面９に対する接触面３０間の相互作用によって、その中に載るからである。この位置は、フック形部品を掴み位置に保持しようと努める連続する垂直力を重力作用によって与えることによって保証される。鎖錠装置が解放位置にあると、横向きの足場素子を垂直に上昇させることによって連結部品を分離することおよび掴み部品からフック形部品を除去することはそれ相応の手法で簡単にできる。かくして、この連結位置は連結された足場内で足場素子４、５を横向きに保持する。
【００１９】
連結位置において、鎖錠装置は第１の留め付け部品３８が先ず、図３、５、７、８に示す位置に回されることによって作動させられ、その際第１の留め付け部品上の前向きの留め付け面４５が直立材の包絡面９に接触させられる。第１の留め付け部品は、側面から見てそれが、専ら意図した留め付け面４５が直立材と接触するよう、掴み部品と接触することなく掴み部品の回りに延びるように、形作られることは図から明らかになるだろう。第１の、即ち下げられた留め付け部品３８の移動は適切には、鎖錠本体４０の下に突出する留め付け部品３８の突出部品の後方の下向きの接触面６７に対する慣例の手工具を用いた強打(blows)による手作動によって行われる。そうすることによって、鎖錠くさび５０のための支持面６４が外され、かくして、鎖錠位置に落下することになる。図３、５、７、８を参照されたい。また、このことは第２の、即ち上部の留め付け部分５６が鎖錠位置に入ることを可能となす。このことは、くさびの前向きの留め付け面６２が第２留め付け部品の後向きの留め付け面６１に接触するよう、第１の留め付け部品が立ち去ったとき、多少とも、くさびの重量に起因してなされる。かくして、くさびの相互作用が引き起こされる。というのは、くさびが後で支持されて、その後ろ向きの留め付け面６８が鎖錠本体４８の前向きの留め付け面５３と接触することになるからである。
【００２０】
様々な留め付け面は必ずしも同じ径方向平面内に置かれないので、第１の留め付け部品または他の留め付け部品、即ち鎖錠くさびのトルクは何れも、シャフト３９とそのシャフトにおける第１と第３の鎖錠部品の取り付け部間の相互作用によって吸収される。安定したくさび効果のためには、くさび角度、即ち留め付け面５１、６２の傾斜は、くさびの留め付け面における摩擦力より小さい小さな上向き垂直力を生じる必要がある。
【００２１】
解放位置への鎖錠装置の移動はアナログ的なしかし反対の手法で行われる。くさび５０は、例えば手工具で下から支持面５２を強打することによって鎖錠位置から打ち出され、多分その後それがその上端位置に達するまで、手でくさびを上昇させるだろう。そうする際、第１の留め付け部品３８は、支持面６４がくさびの支持面５２の下の位置に行くよう、その自重に起因して外方へ揺動することができ、その後くさびは支持面に向かって下方へ解放され、解放位置に安定して載ることになる。第３の留め付け部品５６も解き放され、鎖錠装置は解放位置につく。フック形部品７、即ち水平の足場素子４はかくして掴み部品６から上昇させられることができる。
【００２２】
本発明は上述した図示の実施例に限定されるものではなく、特許請求の範囲内で種々に変更できるものである。例えば、掴み部品は代案として幾つかの貫通孔をもつディスクからなることができる。原則として、第３の留め付け部品をもつ必要はない。代案として、第１と第３の留め付け部品は１つの同じ部品内にあるものとすることができる。
【図面の簡単な説明】
【図１】  本発明を適用できる簡単な足場の１例を示す図である。
【図２】  解放位置にある本発明の連結装置の側面図である。
【図３】  該装置が鎖錠位置にある状態を示す、図２に示した装置の側面図である。
【図４】  隠れ線を追加して示した図２に対応する図である。
【図５】  隠れ線を追加して示した図３に対応する図である。
【図６】  下から見た装置の図である。
【図７】  １側から見た鎖錠位置にある該装置の部分横断面図である。
【図８】  反対側から見た鎖錠位置にある該装置の部分横断面図である。
【図９】  １側から見た解放位置にある該装置の図である。
【図１０】  反対側から見た解放位置にある該装置の図である。
【図１１】  簡明化のため該装置の掴み部品を示していない該装置の一部の正面図である。
【図１】
0004794113.tif 000002
【図２】
0004794113.tif 000003
【図３】
0004794113.tif 000004
【図４】
0004794113.tif 000005
【図５】
0004794113.tif 000006
【図６】
0004794113.tif 000007
【図７】
0004794113.tif 000008
【図８】
0004794113.tif 000009
【図９】
0004794113.tif 000010
【図１０】
0004794113.tif 000011
【図１１】
0004794113.tif 000012